(57)【要約】  本発明は、施錠シリンダの鍵穴に挿入可能な鍵を有し、前記鍵がコアピンによってまたはシリンダコア内を移動可能な鎖錠要素によって探触可能であり、適合時、挿入された前記鍵によって前記シリンダコアが回動可能となる錠鍵システムに関する。標識として役立ちアルファベットおよび／または数字および／または記号から成る文字列が窪みおよび／または突起の態様で鍵軸部の少なくとも一方の側面に‐側部異形部が設けられている場合前記異形部に‐設けられており、前記文字列または個々のアルファベット、数字または記号またはそれらの部分領域が、接触面を対応形成されたコアピンまたは鎖錠要素によって探触可能である。【選択図】図１
2013507548.tif 000002
【特許請求の範囲】
【請求項１】
施錠シリンダの鍵穴に挿入可能な鍵を有し、前記鍵がコアピンによってまたはシリンダコア内を移動可能な鎖錠要素によって探触可能であり、適合時、挿入された前記鍵によって前記シリンダコアが回動可能となる錠鍵システムにおいて、
標識として役立ちアルファベットおよび／または数字および／または記号から成る文字列が窪みおよび／または突起の態様で鍵軸部の少なくとも一方の側面に設けられており、
前記文字列または個々のアルファベット、数字または記号またはそれらの部分領域が、接触面を対応形成されたコアピンまたは鎖錠要素によって探触可能であることを特徴とする錠鍵システム。
【請求項２】
施錠シリンダの鍵穴に挿入可能な平鍵を有し、前記平鍵が鍵軸部の長手方向で前記鍵軸部の側面に溝および隆起部として延設される異形部を有し、前記異形部がコアピンによってまたはシリンダコア内を移動可能な鎖錠要素によって少なくとも部分的に探触可能であり、前記コアピンまたは鎖錠要素がシリンダコア／シリンダハウジングの分離平面の向こう側でシリンダハウジングに設けられる凹部と協動し、適合時、挿入された前記鍵によって前記シリンダコアが回動可能となる錠鍵システムにおいて、
標識として役立ちアルファベットおよび／または数字および／または記号から成る文字列が窪みおよび／または突起の態様で前記異形部に設けられており、
前記文字列または個々のアルファベット、数字または記号またはそれらの部分領域が、接触面を対応形成されたコアピンまたは鎖錠要素によって探触可能であることを特徴とする錠鍵システム。
【請求項３】
前記標識として役立つ前記文字列、個々のアルファベット、数字または記号が、商標として登録された標示を少なくとも部分的に描出することを特徴とする請求項１または２記載の錠鍵システム。
【発明の詳細な説明】
【技術分野】
【０００１】
本発明は、施錠シリンダの鍵穴に挿入可能な鍵を有し、この鍵がコアピンによってまたはシリンダコア内を移動可能な鎖錠要素によって探触可能であり、適合時、挿入された鍵によってシリンダコアが回動可能となる錠鍵システムに関する。
【背景技術】
【０００２】
このような錠鍵システムは一般に知られている。
【０００３】
鍵は無くすことがあり、その場合再注文しなければならない。しかし、合鍵を作製する必要がしばしばある。
【０００４】
鍵の再作製は、再注文のために呈示しなければならないセキュリティカードによって確かに困難となることがある。しかし実務において偽造は殆ど防ぐことができない。保護された断面でもそのことに変わりはない。なぜならば、これらの断面も複製することのできる複製機が今日市販されているからである。
【発明の概要】
【発明が解決しようとする課題】
【０００５】
本発明の課題は、鍵の偽造に対する安全性を高めた錠鍵システムを提供することである。
【課題を解決するための手段】
【０００６】
この課題は一方で、施錠シリンダの鍵穴に挿入可能な鍵を有し、この鍵がコアピンによってまたはシリンダコア内を移動可能な鎖錠要素によって探触可能であり、適合時、挿入された鍵によってシリンダコアが回動可能となる錠鍵システムにおいて、標識として役立ちアルファベットおよび／または数字および／または記号から成る文字列が窪みおよび／または突起の態様で鍵軸部の側面に設けられており、文字列または個々のアルファベット、数字または記号またはそれらの部分領域が、接触面を対応形成されたコアピンまたは鎖錠要素によって探触可能であることによって解決される。
【０００７】
異形平鍵においてこの課題は、施錠シリンダの鍵穴に挿入可能な平鍵を有し、この平鍵が鍵軸部の長手方向で鍵軸部の側面に溝および隆起部として延設される異形部を有し、これらの異形部がコアピンによってまたはシリンダコア内を移動可能な鎖錠要素によって少なくとも部分的に探触可能であり、これらのコアピンまたは鎖錠要素がシリンダコア／シリンダハウジングの分離平面の向こう側でシリンダハウジングに設けられる凹部と協動し、適合時、挿入された鍵によってシリンダコアが回動可能となる錠鍵システムにおいて、標識として役立ちアルファベットおよび／または数字および／または記号から成る文字列が窪みおよび／または突起の態様で異形部に設けられており、文字列または個々のアルファベット、数字または記号またはそれらの部分領域が、接触面を対応形成されたコアピンまたは鎖錠要素によって探触可能であることによって解決される。
【０００８】
主に、標識として役立つ文字列、個々のアルファベット、数字または記号は商標として登録された標示を少なくとも部分的に描出すべきであろう。
【０００９】
このような錠鍵システムでは、標識の探触が付加的に必要であるので、コアピンまたは鎖錠要素がシリンダコア／シリンダハウジングの分離平面で心合せされ、つまり適切な鍵が鍵穴に挿入されたときにのみ施錠過程は実行することができる。
【００１０】
標識の模倣は、鍵軸部に異形部を製造するフライス盤とは異なり特殊な工具を必要とする。
【００１１】
それに加えて、保護された文字列または当該アルファベットまたは組合せ数字または保護されたロゴがまさに標識を形成しているとき模倣は模倣者にとって影響がなくはない侵害行為となることがある。
【００１２】
以下、図面に示した実施例に関連して本発明を説明する。
【図面の簡単な説明】
【００１３】
【図１】側部異形部のない平鍵の略図である。
【図２】側部異形部を有する平鍵の略図である。
【図３】コアピンの接触面の略図である。
【発明を実施するための形態】
【００１４】
これらの図において一致する部分にはそれぞれ同じ符号が付けてある。
【００１５】
両方の平鍵は把持部２と軸部１とを有する。鍵部に切欠き３が設けられている。これらの切欠きがふつうコア・ハウジングピンと協動する。
【００１６】
図２において切欠きは軸部の部分長にわたってのみ象徴的に示してある。図２の実施では軸部に沿って異形部５が長手溝、長手隆起部の態様で延設されている。
【００１７】
ところで本発明によれば軸部の長辺面の少なくとも一方に（図２の実施では異形部を補足して）標識４が設けられており、この標識は（図示例では）アルファベット「ＫＯ」から成る。
【００１８】
この標識は主に登録された商標、つまり保護された商標とすべきであり、文字列、アルファベット、数字または記号（ロゴ）とすることができる。
【００１９】
ところで、鍵の異形部（それが設けられている場合）だけでなく、この標識４も機械的に探触されることが重要である。この探触は、シリンダコア内で変位可能、つまり移動可能なコアピンまたは別の鎖錠要素によって行われる。図３に例示的に示唆されたコアピン６は対応する接触面４’を有する。この接触面は鍵の標識のトポグラフィに応じて完全に、あるいは単に部分領域として、形成されている。
【００２０】
しかし重要なのは鍵側面に設けられる標識に符合した接触面、つまり標識と係合可能な面をこれらのコアピンが有し、これらの面が標識のものに一致したポジティブ領域またはネガティブ領域を有することである。
【００２１】
これらのコアピンまたは鎖錠要素が接触領域に一種のスタンプを形成する。
【００２２】
シリンダコア／シリンダハウジングの境界面（シアーライン）でコアピンまたは鎖錠要素の適合をもたらすには、コアピンまたは鎖錠要素に含まれた領域と標識が一致することが不可欠である。
【００２３】
これらの領域の窪みもしくは隆起部は変更することができ、こうして錠鍵システムの複雑さをさらになお高めることができる。
【００２４】
ピンを側部で単に照会することとの本質的違いは、１箇所または１平面だけでなく輪郭全体および／またはトポグラフィ全体を照会することができることにある。
【００２５】
このような鍵の再作製は著しく支出を要し、もしくは不可能でさえあり、他方で‐保護された商標を模倣する場合‐当然に侵害となる。
【図１】
2013507548.tif 000003
【図２】
2013507548.tif 000004
【図３】
2013507548.tif 000005
【国際調査報告】
2013507548.tif 000006
2013507548.tif 000007
2013507548.tif 000008
2013507548.tif 000009
2013507548.tif 000010
2013507548.tif 000011